(57)【要約】【課題】蓄電部の充電が行われていない可能性があることをユーザーに知らせることができる。【解決手段】発電部１０は、受光面に照射される光に応じた電力を発電する。蓄電部２０は、発電部１０が発電した電力を蓄電し、蓄電した電力を出力する。表示部７０は、文字や図形を表示する。温度計測部３０は、蓄電部２０の動作環境の温度を計測する。温度判定部６３は、温度計測部３０が計測した温度に基づいて、蓄電部２０の動作環境の温度は低温であるか否かを判定する。表示制御部６４は、温度判定部６３が蓄電部２０の動作環境の温度は低温であると判定した場合、充電が行われていない可能性があることを示す図形を表示部７０に表示させる。【選択図】図１
2013081314.tif 000002
【特許請求の範囲】
【請求項１】
受光面に照射される光に応じた電力を発電する発電部と、
前記発電部が発電した電力を蓄電し、当該蓄電した電力を出力する蓄電部と、
文字や図形を表示する表示部と、
前記蓄電部の動作環境の温度を計測する温度計測部と、
前記温度計測部が計測した前記温度に基づいて、前記蓄電部の動作環境の温度は低温であるか否かを判定する温度判定部と、
前記温度判定部が前記蓄電部の動作環境の温度は低温であると判定した場合、充電が行われていない可能性があることを示す図形を前記表示部に表示させる表示制御部と、
を備えることを特徴とする電子機器。
【請求項２】
前記温度判定部は、前記温度計測部が計測した前記温度と、前記蓄電部の温度特性に基づいて定められた所定の温度とを比較し、前記温度が前記所定の温度よりも低い場合、前記蓄電部の動作環境の温度は低温であると判定する
ことを特徴とする請求項１に記載の電子機器。
【請求項３】
前記温度計測部は所定時間毎に前記温度を計測する
ことを特徴とする請求項１または請求項２のいずれか１項に記載の電子機器。
【請求項４】
前記表示部は前記温度計測部が計測した前記温度を表示し、
前記温度計測部は、前記表示部が前記温度を表示している場合、前記温度を計測する
ことを特徴とする請求項１から請求項３のいずれか１項に記載の電子機器。
【請求項５】
前記表示制御部は、前記温度判定部が前記蓄電部の動作環境の温度は低温であると判定した場合、前記充電が行われていない可能性があることを示す図形のみを前記表示部に表示させる
ことを特徴とする請求項１から請求項４のいずれか１項に記載の電子機器。
【請求項６】
前記表示制御部は、前記温度判定部が前記蓄電部の動作環境の温度は低温ではないと判定した場合、前記充電が行われていない可能性があることを示す図形を前記表示部に表示させず、他の前記文字や前記図形を前記表示部に表示させる
ことを特徴とする請求項１から請求項５のいずれか１項に記載の電子機器。
【請求項７】
前記蓄電部が出力する電力の電圧値を検出する蓄電電圧検出部
を備え、
前記表示制御部は、前記蓄電部が出力する電力の電圧値が所定の電圧値以下であり、かつ、前記温度判定部が前記蓄電部の動作環境の温度は低温であると判定した場合、前記充電が行われていない可能性があることを示す図形を前記表示部に表示させる
ことを特徴とする請求項１から請求項４のいずれか１項に記載の電子機器。
【請求項８】
前記発電部が発電した電力の電圧値を検出する発電電圧検出部
を備え、
前記表示制御部は、前記発電部が出力する電力の電圧値が所定の電圧値以下であり、かつ、前記温度判定部が前記蓄電部の動作環境の温度は低温であると判定した場合、前記充電が行われていない可能性があることを示す図形を前記表示部に表示させる
ことを特徴とする請求項１から請求項４のいずれか１項に記載の電子機器。
【請求項９】
前記発電部が発電した電力の電圧値を検出する発電電圧検出部と、
前記温度判定部が前記蓄電部の動作環境の温度は低温であると判定し、かつ、前記発電部が出力する電力の電圧値が所定の電圧値以上である場合には、前記発電部が発電した電力を前記表示部に供給し、それ以外の場合には前記蓄電部が蓄電した電力を前記表示部に供給する電源制御部と、
を備えることを特徴とする請求項１から請求項６のいずれか１項に記載の電子機器。
【請求項１０】
前記表示制御部は、前記温度判定部が前記蓄電部の動作環境の温度は低温ではないと判定した場合、前記表示部に時刻を表示させ、前記温度判定部が前記蓄電部の動作環境の温度は低温であると判定した場合、前記表示部に前記時刻を表示させない
ことを特徴とする請求項１から請求項９のいずれか１項に記載の電子機器。
【請求項１１】
前記所定時間毎は正時毎である
ことを特徴とする請求項３に記載の電子機器。
【請求項１２】
受光面に照射される光に応じた電力を発電する発電部と、
前記発電部が発電した電力を蓄電し、当該蓄電した電力を出力する蓄電部と、
文字や図形を表示する表示部と、
前記蓄電部の動作環境の温度を計測する温度計測部と、
前記温度計測部が計測した前記温度に基づいて、前記蓄電部の動作環境の温度は低温であるか否かを判定する温度判定部と、
前記温度判定部が前記蓄電部の動作環境の温度は低温であると判定した場合、充電が行われていない可能性があることを示す図形を前記表示部に表示させる表示制御部と、
を備えることを特徴とする電子時計。
【請求項１３】
発電部が発電した電力を蓄電し、当該蓄電した電力を出力する蓄電部の動作環境の温度を計測する温度計測ステップと、
前記温度計測ステップで計測した前記温度に基づいて、前記蓄電部の動作環境の温度は低温であるか否かを判定する温度判定ステップと、
前記温度判定ステップで前記蓄電部の動作環境の温度は低温であると判定した場合、充電が行われていない可能性があることを示す図形を表示部に表示させる表示制御ステップと、
をコンピュータに実行させるためのプログラム。
【発明の詳細な説明】
【技術分野】
【０００１】
本発明は、電子機器、電子時計およびプログラムに関する。
【背景技術】
【０００２】
従来、発電手段と、発電手段から電気エネルギの供給をうけて駆動する計時制御手段と、計時制御手段の駆動により時刻の表示を行う表示手段と、発電手段の状態を検出する検出手段と、検出手段からの検出信号に基づいて発電手段が発電しているか否かを判断する判断手段を有し、判断手段の判断に基づき発電状態を表示手段に表示させる発電機能を備えた電子時計において、発電手段により発生させられた電気エネルギを蓄電し、計時制御手段に前記エネルギを供給する蓄電手段と、蓄電手段に蓄えられる電気エネルギの蓄電状態を検出する蓄電検出手段と、を有し、発電手段により発電された電気エネルギ量の絶対値が、予め決定された値より大きいときには通常の時刻表示を行い、発電手段により発電された電気エネルギ量の絶対値が前記値以下で、蓄電手段に蓄電されている電気エネルギ量の絶対値が予め決定された値よりも大きい場合に、通常の時刻表示と異なる時刻表示を行い、蓄電手段に蓄電されている電気エネルギの量の絶対値が予め決定された値よりも小さいときに、計時制御手段による時刻表示動作の一部又は全部を停止させることを特徴とする発電機能を備えた電子時計が知られている（例えば、特許文献１参照）。
【先行技術文献】
【特許文献】
【０００３】
【特許文献１】特許第４４８１４９７号公報
【発明の概要】
【発明が解決しようとする課題】
【０００４】
しかしながら、蓄電手段として用いられる二次電池は、低温条件下では充電特性が劣化するため充電することができない可能性がある。例えば、二次電池の動作保証下限温度が−１０℃である場合、二次電池が動作している環境の温度が−２０℃であれば二次電池を充電することができない可能性がある。従って、動作保証下限温度が−１０℃の二次電池と、太陽電池とを備えた電子時計において、太陽電池に日光が当たっていたとしても、電子時計（二次電池）が動作している環境の温度が−２０℃である場合、二次電池を充電することができない可能性がある。そのため、電子時計が備える太陽電池に日光が当たっているため二次電池の充電が行われているとユーザーが思っていたとしても、電子時計（二次電池）が動作している環境の温度によっては、実際には二次電池の充電が行われていない可能性がある。このように、従来知られている発電機能を備えた電子時計では、ユーザーは、二次電池の充電が行われていない可能性があることを認識することができないという問題がある。
【０００５】
そこで本発明は、上述の事情を鑑みてなされたものであり、蓄電部の充電が行われていない可能性があることをユーザーに知らせることができる電子機器、電子時計およびプログラムを提供することを目的とする。
【課題を解決するための手段】
【０００６】
本発明は、受光面に照射される光に応じた電力を発電する発電部と、前記発電部が発電した電力を蓄電し、当該蓄電した電力を出力する蓄電部と、文字や図形を表示する表示部と、前記蓄電部の動作環境の温度を計測する温度計測部と、前記温度計測部が計測した前記温度に基づいて、前記蓄電部の動作環境の温度は低温であるか否かを判定する温度判定部と、前記温度判定部が前記蓄電部の動作環境の温度は低温であると判定した場合、充電が行われていない可能性があることを示す図形を前記表示部に表示させる表示制御部と、を備えることを特徴とする電子機器である。
【０００７】
また、本発明の電子機器において、前記温度判定部は、前記温度計測部が計測した前記温度と、前記蓄電部の温度特性に基づいて定められた所定の温度とを比較し、前記温度が前記所定の温度よりも低い場合、前記蓄電部の動作環境の温度は低温であると判定することを特徴とする。
【０００８】
また、本発明の電子機器において、前記温度計測部は所定時間毎に前記温度を計測することを特徴とする。
【０００９】
また、本発明の電子機器において、前記表示部は前記温度計測部が計測した前記温度を表示し、前記温度計測部は、前記表示部が前記温度を表示している場合、前記温度を計測することを特徴とする。
【００１０】
また、本発明の電子機器において、前記表示制御部は、前記温度判定部が前記蓄電部の動作環境の温度は低温であると判定した場合、前記充電が行われていない可能性があることを示す図形のみを前記表示部に表示させることを特徴とする。
【００１１】
また、本発明の電子機器において、前記表示制御部は、前記温度判定部が前記蓄電部の動作環境の温度は低温ではないと判定した場合、前記充電が行われていない可能性があることを示す図形を前記表示部に表示させず、他の前記文字や前記図形を前記表示部に表示させることを特徴とする。
【００１２】
また、本発明は、前記蓄電部が出力する電力の電圧値を検出する蓄電電圧検出部を備え、前記表示制御部は、前記蓄電部が出力する電力の電圧値が所定の電圧値以下であり、かつ、前記温度判定部が前記蓄電部の動作環境の温度は低温であると判定した場合、前記充電が行われていない可能性があることを示す図形を前記表示部に表示させることを特徴とする電子機器である。
【００１３】
また、本発明は、前記発電部が発電した電力の電圧値を検出する発電電圧検出部を備え、前記表示制御部は、前記発電部が出力する電力の電圧値が所定の電圧値以下であり、かつ、前記温度判定部が前記蓄電部の動作環境の温度は低温であると判定した場合、前記充電が行われていない可能性があることを示す図形を前記表示部に表示させることを特徴とする電子機器である。
【００１４】
また、本発明は、前記発電部が発電した電力の電圧値を検出する発電電圧検出部と、前記温度判定部が前記蓄電部の動作環境の温度は低温であると判定し、かつ、前記発電部が出力する電力の電圧値が所定の電圧値以上である場合には、前記発電部が発電した電力を前記表示部に供給し、それ以外の場合には前記蓄電部が蓄電した電力を前記表示部に供給する電源制御部と、を備えることを特徴とする電子機器である。
【００１５】
また、本発明の電子機器において、前記表示制御部は、前記温度判定部が前記蓄電部の動作環境の温度は低温ではないと判定した場合、前記表示部に時刻を表示させ、前記温度判定部が前記蓄電部の動作環境の温度は低温であると判定した場合、前記表示部に前記時刻を表示させないことを特徴とする。
【００１６】
また、本発明の電子機器において、前記所定時間毎は正時毎であることを特徴とする。
【００１７】
また、本発明は、受光面に照射される光に応じた電力を発電する発電部と、前記発電部が発電した電力を蓄電し、当該蓄電した電力を出力する蓄電部と、文字や図形を表示する表示部と、前記蓄電部の動作環境の温度を計測する温度計測部と、前記温度計測部が計測した前記温度に基づいて、前記蓄電部の動作環境の温度は低温であるか否かを判定する温度判定部と、前記温度判定部が前記蓄電部の動作環境の温度は低温であると判定した場合、充電が行われていない可能性があることを示す図形を前記表示部に表示させる表示制御部と、を備えることを特徴とする電子時計である。
【００１８】
また、本発明は、発電部が発電した電力を蓄電し、当該蓄電した電力を出力する蓄電部の動作環境の温度を計測する温度計測ステップと、前記温度計測ステップで計測した前記温度に基づいて、前記蓄電部の動作環境の温度は低温であるか否かを判定する温度判定ステップと、前記温度判定ステップで前記蓄電部の動作環境の温度は低温であると判定した場合、充電が行われていない可能性があることを示す図形を表示部に表示させる表示制御ステップと、をコンピュータに実行させるためのプログラムである。
【発明の効果】
【００１９】
本発明によれば、発電部は、受光面に照射される光に応じた電力を発電する。また、蓄電部は、発電部が発電した電力を蓄電し、当該蓄電した電力を出力する。また、表示部は、文字や図形を表示する。また、温度計測部は、蓄電部の動作環境の温度を計測する。また、温度判定部は、温度計測部が計測した温度に基づいて、蓄電部の動作環境の温度は低温であるか否かを判定する。また、表示制御部は、温度判定部が蓄電部の動作環境の温度は低温であると判定した場合、充電が行われていない可能性があることを示す図形を表示部に表示させる。これにより、蓄電部の動作環境の温度が低温である場合、表示部は、充電が行われていない可能性があることを示す図形を表示するため、蓄電部の充電が行われていない可能性をユーザーに知らせることができる。
【図面の簡単な説明】
【００２０】
【図１】本発明の第１の実施形態における電子時計の構成を示したブロック図である。
【図２】本発明の第１の実施形態において、低温状態ではない場合に表示部が表示する表示画面を示した概略図である。
【図３】本発明の第１の実施形態において、低温状態である場合に表示部が表示する表示画面を示した概略図である。
【図４】本発明の第１の実施形態において、常に温度を表示している表示部が低温状態ではない場合に表示する表示画面を示した概略図である。
【図５】本発明の第１の実施形態において、常に温度を表示している表示部が低温状態である場合に表示する表示画面を示した概略図である。
【図６】本発明の第１の実施形態において、低温状態の際に時刻表示を表示しない表示部が、低温状態である場合に表示する表示画面を示した概略図である。
【図７】本発明の第１の実施形態における電子時計の動作手順を示したフローチャートである。
【図８】本発明の第２の実施形態における電子時計の動作手順を示したフローチャートである。
【図９】本発明の第３の実施形態における電子時計の動作手順を示したフローチャートである。
【図１０】本発明の第４の実施形態における電子時計の構成を示したブロック図である。
【図１１】本発明の第４の実施形態における電子時計の動作手順を示したフローチャートである。
【発明を実施するための形態】
【００２１】
（第１の実施形態）
以下、本発明の第一の実施形態について、図面を参照しながら説明する。本実施形態では、電子機器の一例として、発電部を備えた電子時計の例を用いて説明する。図１は、本実施形態における電子時計１（電子機器）の構成を示したブロック図である。図示する例では、電子時計１は、発電部１０と、蓄電部２０と、温度計測部３０と、時計部４０と、記憶部５０と、制御部６０と、表示部７０とを備える。
【００２２】
発電部１０は光を受光する受光面を備えた太陽電池であり、受光した（照射された）光に応じた電力を発電して蓄電部２０を充電する。蓄電部２０は、充電可能な二次電池であり、発電部１０が発電した電力を蓄電する。また、蓄電部２０は、蓄電した電力を電子時計１が備える各部に対して出力（供給）する。温度計測部３０は、蓄電部２０（電子時計１）が動作している環境（動作環境）の温度を計測する。なお、温度計測部３０が計測する温度は、温度計測部３０が配置される場所によって異なる。例えば、温度計測部３０が電子時計１の外部に配置されている場合、温度計測部３０は電子時計１が動作している環境の気温を計測する。また、温度計測部３０が電子時計１の内部かつ蓄電部２０に隣接して配置されている場合、温度計測部３０は、蓄電部２０の温度を直接計測する。なお、温度計測部３０の配置は上記の例に限らず、蓄電部２０が動作している環境の温度を計測することができる配置であればどのような配置でもよい。
【００２３】
時計部４０は、現在の時刻を示す情報を出力する。記憶部５０は、ＲＯＭ（Ｒｅａｄ  Ｏｎｌｙ  Ｍｅｍｏｒｙ、読み出し専用メモリ）や、ＲＡＭ（Ｒａｎｄｏｍ  Ａｃｃｅｓｓ  Ｍｅｍｏｒｙ、ランダムアクセスメモリ）などであり、制御部６０が実行するプログラムや、電子時計１が用いるデータなどを記憶する。
【００２４】
制御部６０は、電子時計１が備える各部の制御を行う。また、制御部６０は、発電電圧検出部６１と、蓄電電圧検出部６２と、温度判定部６３と、表示制御部６４とを備える。発電電圧検出部６１は、発電部１０が発電した電力の電圧に基づいて発電部１０の発電量を検出する。蓄電電圧検出部６２は、蓄電部２０が出力する電力の電圧に基づいて蓄電部２０の蓄電量を検出する。
【００２５】
温度判定部６３は、温度計測部３０が計測した蓄電部２０の動作環境の温度と、予め設定されている所定の温度（閾値）とを比較して、蓄電部２０が動作している環境の温度は低温状態であるか否かを判定する。具体的には、温度判定部６３は、温度計測部３０が計測した蓄電部２０の動作環境の温度が所定の温度以上であれば、蓄電部２０が動作している環境の温度は低温状態では無いと判定する。また、温度判定部６３は、温度計測部３０が計測した蓄電部２０の動作環境の温度が所定の温度未満であれば、蓄電部２０が動作している環境の温度は低温状態であると判定する。
【００２６】
なお、所定の温度は、蓄電部２０の低温特性に基づいて設定する。例えば、蓄電部２０の動作保証下限温度は蓄電部２０の低温特性に基づいて設定されているため、動作保証下限温度に基づいて所定の温度を設定する。具体例としては、蓄電部２０の動作保証下限温度が−１０℃である場合、所定の温度を−１０℃と設定し、蓄電部２０の動作保証下限温度が−１５℃である場合、所定の温度を−１５℃と設定する。
【００２７】
表示制御部６４は、表示部７０を制御し、表示部７０に文字や画像などを表示させる。本実施形態では、表示制御部６４は、温度判定部６３の判定結果に基づいて表示部７０の表示を変更する。具体的には、表示制御部６４は、蓄電部２０が動作している環境の温度は低温状態であると温度判定部６３が判定した場合に、蓄電部２０が動作している環境の温度は低温状態であるため充電が行われていない可能性があることを示す図形（低温警告マーク）を表示部７０に表示させる。また、表示制御部６４は、蓄電部２０が動作している環境の温度は低温状態ではないと温度判定部６３が判定した場合に、蓄電部２０が動作している環境の温度は低温状態であるため充電が行われていない可能性があることを示す図形を表示部７０に表示させない。表示部７０は液晶ディスプレイ等であり、表示制御部６４の制御に基づいて、文字や画像などを表示する
【００２８】
次に、表示制御部６４の制御に基づいて表示部７０が表示する表示画面について説明する。図２は、本実施形態において、蓄電部２０が動作している環境の温度は低温状態ではないと温度判定部６３が判定した場合に、表示部７０が表示する表示画面を示した概略図である。図示する例では、表示部７０は、表示画面上部に時刻表示２０１を表示している。図３は、本実施形態において、蓄電部２０が動作している環境の温度は低温状態であると温度判定部６３が判定した場合に、表示部７０が表示する表示画面を示した概略図である。図示する例では、表示部７０は、表示画面上部に時刻表示２０１を表示し、表示画面下部右側に、蓄電部２０が動作している環境の温度は低温状態であるため充電が行われていない可能性があることを示す図形として、温度計の図形２０２を表示している。従って、電子時計１のユーザーは、この表示を確認することで、蓄電部２０の充電が行われていない可能性があることを認識することができる。
【００２９】
なお、温度計測部３０が常に温度を計測している場合、表示部に７０に温度計測部３０が計測した温度を表示させるようにしてもよい。図４は、本実施形態において、表示部７０が常に温度を表示しており、蓄電部２０が動作している環境の温度は低温状態ではないと温度判定部６３が判定した場合に、表示部７０が表示する表示画面を示した概略図である。図示する例では、表示部７０は、表示画面上部に時刻表示２０１を表示し、表示画面下部に、温度計測部３０が計測した温度表示２０３を表示している。図５は、本実施形態において、表示部７０が常に温度を表示しており、蓄電部２０が動作している環境の温度は低温状態であると温度判定部６３が判定した場合に、表示部７０が表示する表示画面を示した概略図である。図示する例では、表示部７０は、表示画面上部に時刻表示２０１を表示し、表示画面下部中央に、温度計測部３０が計測した温度２０３を表示し、表示画面下部右側に、蓄電部２０が動作している環境の温度は低温状態であるため充電が行われていない可能性があることを示す図形として、温度計の図形２０２を表示している。従って、電子時計１のユーザーは、温度計の図形２０２を確認することで、蓄電部２０の充電が行われていない可能性があることを認識することができる。また、表示部７０に温度計測部３０が計測した温度２０３が表示されているため、電子時計１のユーザーは、蓄電部２０が動作している環境の温度を認識することができる。
【００３０】
また、蓄電部２０が動作している環境の温度が低温状態である場合、蓄電部２０の充電が行われていない可能性があるため消費電力をより少なくすることが望ましい。そこで、蓄電部２０が動作している環境の温度は低温状態であると温度判定部６３が判定した場合に表示部７０に時刻表示を表示させないようにし、消費電力をより低減させるようにしてもよい。図６は、本実施形態において、蓄電部２０が動作している環境の温度は低温状態であると温度判定部６３が判定した際に時刻表示を表示させないようにした場合に、表示部７０が表示する表示画面を示した概略図である。図示する例では、表示部７０は、表示画面下部右側に、蓄電部２０が動作している環境の温度は低温状態であるため充電が行われていない可能性があることを示す図形として、温度計の図形２０２を表示している。従って、電子時計１のユーザーは、温度計の図形２０２の表示を確認することで、蓄電部２０の充電が行われていない可能性があることを認識することができる。また、表示部７０は、時刻表示２０１の表示を行っていない。従って、電子時計１は、蓄電部２０の充電が行われていない可能性がある場合、消費電力をより削減することができる。
【００３１】
次に、電子時計１の動作手順について説明する。図７は、本実施形態における電子時計１の動作手順を示したフローチャートである。
（ステップＳ１０１）前回温度を計測してから一定時間が経過した場合、温度計測部３０は蓄電部２０が動作している環境の温度を計測する。その後、ステップＳ１０２の処理に進む。なお、一定時間は予め設定されていてもよく、任意に設定できるようにしてもよい。例えば、急激な温度変化があまり起こらない環境であれば、一定時間を「１時間」とし、温度計測部３０が１時間間隔で温度を計測するようにしてもよい。また、例えば、表示部７０に常に温度を表示している場合は、一定時間を「１秒」とし、温度計測部３０が１秒間隔で温度を計測するようにしてもよい。また、電子時計１の時計部４０は時刻を示す情報を出力しているため、この情報を用いて温度を計測するタイミングを決定するようにしてもよい。例えば、前回温度を計測してから一定時間経過した場合ではなく、温度計測部３０は毎正時に温度を計測するようにしてもよい。
【００３２】
（ステップＳ１０２）温度判定部６３は、温度計測部３０が計測した蓄電部２０の動作環境の温度と、予め設定されている所定の温度とを比較して、蓄電部２０が動作している環境の温度は低温状態であるか否かを判定する。蓄電部２０が動作している環境の温度は低温状態であると、温度判定部６３が判定した場合にはステップＳ１０３の処理に進み、それ以外の場合にはステップＳ１０４の処理に進む。
【００３３】
（ステップＳ１０３）ステップＳ１０２の処理で、蓄電部２０が動作している環境の温度は低温状態であると温度判定部６３が判定したため、表示制御部６４は、蓄電部２０が動作している環境の温度は低温状態であるため充電が行われていない可能性があることを示す図形を表示部７０に表示させる。その後、ステップＳ１０１の処理に戻る。
【００３４】
（ステップＳ１０４）ステップＳ１０２の処理で、蓄電部２０が動作している環境の温度は低温状態ではないと温度判定部６３が判定したため、表示制御部６４は、蓄電部２０が動作している環境の温度は低温状態であるため充電が行われていない可能性があることを示す図形を表示部７０に表示させない。その後、ステップＳ１０１の処理に戻る。
【００３５】
上述したとおり、本実施形態によれば、温度計測部３０は、一定時間毎に、蓄電部２０が動作している環境の温度を計測する。また、温度判定部６３は、温度計測部３０が計測した蓄電部２０の動作環境の温度と、予め設定されている所定の温度とを比較して、蓄電部２０が動作している環境の温度は低温状態であるか否かを判定する。また、表示制御部６４は、蓄電部２０が動作している環境の温度は低温状態であると温度判定部６３が判定した場合に、蓄電部２０が動作している環境の温度は低温状態であるため充電が行われていない可能性があることを示す図形を表示部７０に表示させる。また、表示制御部６４は、蓄電部２０が動作している環境の温度は低温状態ではないと温度判定部６３が判定した場合に、蓄電部２０が動作している環境の温度は低温状態であるため充電が行われていない可能性があることを示す図形を表示部７０に表示させない。これにより、電子時計１は、蓄電部２０の充電が行われていない可能性があることをユーザーに知らせることができる。
【００３６】
（第２の実施形態）
次に、本発明の第２の実施形態について図面を参照して説明する。本実施形態における電子時計１の構成と、第１の実施形態における電子時計１の構成とは同様の構成である。本実施形態と第１の実施形態とで異なる点は、本実施形態では、表示制御部６４は、蓄電部２０が動作している環境の温度と、蓄電部２０の蓄電量とに基づいて、表示部７０の表示を変化させる点である。
【００３７】
次に、電子時計１の動作手順について説明する。図８は、本実施形態における電子時計１の動作手順を示したフローチャートである。ステップＳ２０１の処理は、第１の実施形態におけるステップＳ１０１の処理と同様の処理である。
（ステップＳ２０２）温度判定部６３は、温度計測部３０が計測した蓄電部２０の動作環境の温度と、予め設定されている所定の温度とを比較して、蓄電部２０が動作している環境の温度は低温状態であるか否かを判定する。蓄電部２０が動作している環境の温度は低温状態であると温度判定部６３が判定した場合にはステップＳ２０３の処理に進み、それ以外の場合にはステップＳ２０６の処理に進む。
（ステップＳ２０３）蓄電電圧検出部６２は、蓄電部２０の出力電圧値を検出する。その後、ステップＳ２０４の処理に進む。
【００３８】
（ステップＳ２０４）蓄電電圧検出部６２は、ステップＳ２０３の処理で検出した蓄電部２０の出力電圧値と、予め設定されている所定の電圧値とを比較して、蓄電部２０の蓄電量は十分であるか否かを判定する。蓄電部２０の蓄電量は十分であると蓄電電圧検出部６２が判定した場合にはステップＳ２０６の処理に進み、それ以外の場合にはステップＳ２０５の処理に進む。具体的には、蓄電電圧検出部６２は、ステップＳ２０３の処理で検出した蓄電部２０の出力電圧値が所定の電圧値以上であれば、蓄電部２０の蓄電量は十分であると判定する。また、蓄電電圧検出部６２は、ステップＳ２０３の処理で検出した蓄電部２０の出力電圧値が所定の閾値未満であれば、蓄電部２０の蓄電量は十分ではないと判定する。なお、所定の電圧値は、蓄電部２０の出力特性に基づいて設定するようにしてもよく、任意に設定できるようにしてもよい。例えば、蓄電部２０の蓄電量が最大蓄電量の１０％以上の場合の出力電圧値は１．０Ｖ以上であり、蓄電部２０の蓄電量が最大蓄電量の１０％未満の場合の出力電圧値は１．０Ｖ未満であり、蓄電部２０の蓄電量が最大蓄電量の１０％以上であれば蓄電部２０の蓄電量は十分であるとする場合、所定の電圧値を１．０Ｖと設定する。
【００３９】
（ステップＳ２０５）ステップＳ２０２の処理で、蓄電部２０が動作している環境の温度は低温状態であると温度判定部６３が判定し、かつ、ステップＳ２０４の処理で、蓄電部２０の蓄電量は十分ではないと蓄電電圧検出部６２が判定したため、表示制御部６４は、蓄電部２０が動作している環境の温度は低温状態であるため充電が行われていない可能性があることを示す図形を表示部７０に表示させる。その後、ステップＳ２０１の処理に戻る。
【００４０】
（ステップＳ２０６）ステップＳ２０２の処理で、蓄電部２０が動作している環境の温度は低温状態ではないと温度判定部６３が判定した、または、ステップＳ２０４の処理で蓄電部２０の蓄電量は十分であると蓄電電圧検出部６２が判定したため、表示制御部６４は、蓄電部２０が動作している環境の温度は低温状態であるため充電が行われていない可能性があることを示す図形を表示部７０に表示させない。その後、ステップＳ２０１の処理に戻る。
【００４１】
上述したとおり、本実施形態によれば、温度計測部３０は、一定時間毎に、蓄電部２０が動作している環境の温度を計測する。また、温度判定部６３は、温度計測部３０が計測した蓄電部２０の動作環境の温度と、予め設定されている所定の温度とを比較して、蓄電部２０が動作している環境の温度は低温状態であるか否かを判定する。また、蓄電電圧検出部６２は、蓄電部２０の出力電圧値と、予め設定されている所定の電圧値とを比較して、蓄電部２０の蓄電量は十分であるか否かを判定する。また、表示制御部６４は、蓄電部２０が動作している環境の温度は低温状態であると温度判定部６３が判定した場合、かつ、蓄電部２０の蓄電量は十分ではないと蓄電電圧検出部６２が判定した場合、蓄電部２０が動作している環境の温度は低温状態であるため充電が行われていない可能性があることを示す図形を表示部７０に表示させる。また、表示制御部６４は、蓄電部２０が動作している環境の温度は低温状態ではないと温度判定部６３が判定した場合、または、蓄電部２０の蓄電量は十分であると蓄電電圧検出部６２が判定した場合、蓄電部２０が動作している環境の温度は低温状態であるため充電が行われていない可能性があることを示す図形を表示部７０に表示させない。これにより、電子時計１は、蓄電部２０の充電が行われていない可能性があり、蓄電部２０の蓄電量が十分でないことをユーザーに知らせることができる。従って、ユーザーは、早急に蓄電部２０を充電する必要があることを認識することができる。
【００４２】
（第３の実施形態）
次に、本発明の第３の実施形態について図面を参照して説明する。本実施形態における電子時計１の構成と、第１の実施形態における電子時計１の構成とは同様の構成である。本実施形態と第１の実施形態とで異なる点は、本実施形態では、表示制御部６４は、蓄電部２０が動作している環境の温度と、発電部１０の発電量とに基づいて、表示部７０の表示を変化させる点である。
【００４３】
次に、電子時計１の動作手順について説明する。図９は、本実施形態における電子時計１の動作手順を示したフローチャートである。ステップＳ３０１の処理は、第１の実施形態におけるステップＳ１０１の処理と同様の処理である。
（ステップＳ３０２）温度判定部６３は、温度計測部３０が計測した蓄電部２０の動作環境の温度と、予め設定されている所定の温度とを比較して、蓄電部２０が動作している環境の温度は低温状態であるか否かを判定する。蓄電部２０が動作している環境の温度は低温状態であると温度判定部６３が判定した場合にはステップＳ３０３の処理に進み、それ以外の場合にはステップＳ３０６の処理に進む。
（ステップＳ３０３）発電電圧検出部６１は、発電部１０の出力電圧値を検出する。その後、ステップＳ３０４の処理に進む。
【００４４】
（ステップＳ３０４）発電電圧検出部６１は、ステップＳ３０２の処理で検出した発電部１０の出力電圧値と、予め設定されている所定の電圧値とを比較して、発電部１０の発電量は十分であるか否かを判定する。発電部１０の発電量は十分であると発電電圧検出部６１が判定した場合にはステップＳ３０６の処理に進み、それ以外の場合にはステップＳ３０５の処理に進む。具体的には、発電電圧検出部６１は、ステップＳ３０３の処理で検出した発電部１０の出力電圧値が所定の電圧値以上であれば、発電部１０の発電量は十分であると判定する。また、発電電圧検出部６１は、ステップＳ３０３の処理で検出した発電部１０の出力電圧値が所定の電圧値未満であれば、発電部１０の発電は十分ではないと判定する。なお、所定の電圧値は、蓄電部２０を充電するために必要な電圧値に基づいて設定するようにしてもよく、任意に設定できるようにしてもよい。例えば、発電部１０の出力電圧値が１．０Ｖ以上であれば蓄電部２０を充電することができる場合、所定の電圧値を１．０Ｖと設定する。
【００４５】
（ステップＳ３０５）ステップＳ３０２の処理で、蓄電部２０が動作している環境の温度は低温状態であると温度判定部６３が判定し、かつ、ステップＳ３０４の処理で、発電部１０の発電量は十分ではないと発電電圧検出部６１が判定したため、表示制御部６４は、蓄電部２０が動作している環境の温度は低温状態であるため充電が行われていない可能性があることを示す図形を表示部７０に表示させる。その後、ステップＳ３０１の処理に戻る。
【００４６】
（ステップＳ３０６）ステップＳ３０２の処理で、蓄電部２０が動作している環境の温度は低温状態ではないと温度判定部６３が判定した、または、ステップＳ３０４の処理で発電部１０の蓄電量は十分であると発電電圧検出部６１が判定したため、表示制御部６４は、蓄電部２０が動作している環境の温度は低温状態であるため充電が行われていない可能性があることを示す図形を表示部７０に表示させない。その後、ステップＳ３０１の処理に戻る。
【００４７】
上述したとおり、本実施形態によれば、温度計測部３０は、一定時間毎に、蓄電部２０が動作している環境の温度を計測する。また、温度判定部６３は、温度計測部３０が計測した蓄電部２０の動作環境の温度と、予め設定されている所定の温度とを比較して、蓄電部２０が動作している環境の温度は低温状態であるか否かを判定する。また、発電電圧検出部６１は、発電部１０の出力電圧値と、予め設定されている所定の電圧値とを比較して、発電部１０の発電量は十分であるか否かを判定する。また、表示制御部６４は、蓄電部２０が動作している環境の温度は低温状態であると温度判定部６３が判定した場合、かつ、発電部１０の発電量は十分ではないと発電電圧検出部６１が判定した場合、蓄電部２０が動作している環境の温度は低温状態であるため充電が行われていない可能性があることを示す図形を表示部７０に表示させる。また、表示制御部６４は、蓄電部２０が動作している環境の温度は低温状態ではないと温度判定部６３が判定した場合、または、発電部１０の発電量は十分であると発電電圧検出部６１が判定した場合、蓄電部２０が動作している環境の温度は低温状態であるため充電が行われていない可能性があることを示す図形を表示部７０に表示させない。これにより、電子時計１は、蓄電部２０の充電が行われておらず、発電部１０の発電量が十分でないことをユーザーに知らせることができる。従って、ユーザーは、この環境では蓄電部２０の充電が行われていない可能性があることを認識することができる。
【００４８】
（第４の実施形態）
次に、本発明の第４の実施形態について図面を参照して説明する。本実施形態では、蓄電部２０が動作している環境の温度が低温状態であり、かつ、発電部１０の発電量が十分である場合、発電部１０が発電した電力を用いて表示部７０を駆動させる点である。図１０は、本実施形態における電子時計２（電子機器）の構成を示したブロック図である。図示する例では、電子時計２は、発電部１０と、蓄電部２０と、温度計測部３０と、時計部４０と、記憶部５０と、表示部７０と、制御部８０とを備える。発電部１０と、蓄電部２０と、温度計測部３０と、時計部４０と、記憶部５０と、表示部７０とは、第１の実施形態における各部と同様である。
【００４９】
制御部８０は、電子時計２が備える各部の制御を行う。また、制御部８０は、発電電圧検出部６１と、蓄電電圧検出部６２と、温度判定部６３と、表示制御部６４と、電源制御部８１とを備える。発電電圧検出部６１と、蓄電電圧検出部６２と、温度判定部６３と、表示制御部６４とは、第１の実施形態における各部と同様である。電源制御部８１は、蓄電部２０が動作している環境の温度と発電部１０が発電した電力とに基づいて、発電部１０が発電した電力と、蓄電部２０が蓄電している電力とのうち、いずれか一方の電力を表示部７０に供給する。具体的には、電源制御部８１は、蓄電部２０が動作している環境の温度が低温状態であり、かつ、発電部１０の発電量が十分である場合、発電部１０が発電した電力を表示部７０に供給する。また、電源制御部８１は、蓄電部２０が動作している環境の温度が低温状態ではない、または、発電部１０の発電量が十分ではない場合、蓄電部２０が蓄電している電力を表示部７０に供給する。
【００５０】
次に、電子時計２の動作手順について説明する。図１１は、本実施形態における電子時計２の動作手順を示したフローチャートである。ステップＳ４０１の処理は、第１の実施形態におけるステップＳ１０１の処理と同様の処理である。なお、電源制御部８１が表示部７０に供給している電力によって、一定時間を変更するようにしてもよい。例えば、蓄電部２０が蓄電している電力を表示部７０に供給している場合、供給電力は安定しているため、一定時間を「１０分」とするようにしてもよい。また、発電部１０が発電した電力を表示部７０に供給している場合、発電部１０に照射する光量によって頻繁に発電量が変化するため、一定時間を「１秒」とするようにしてもよい。
【００５１】
（ステップＳ４０２）温度判定部６３は、温度計測部３０が計測した蓄電部２０の動作環境の温度と、予め設定されている所定の温度とを比較して、蓄電部２０が動作している環境の温度は低温状態であるか否かを判定する。蓄電部２０が動作している環境の温度は低温状態であると温度判定部６３が判定した場合にはステップＳ４０３の処理に進み、それ以外の場合にはステップＳ４０７の処理に進む。
【００５２】
（ステップＳ４０３）ステップＳ４０２の処理で、蓄電部２０が動作している環境の温度は低温状態であると温度判定部６３が判定したため、表示制御部６４は、蓄電部２０が動作している環境の温度は低温状態であるため充電が行われていない可能性があることを示す図形を表示部７０に表示させる。その後、ステップＳ４０４の処理に進む。
【００５３】
（ステップＳ４０４）発電電圧検出部６１は、発電部１０の出力電圧値を検出する。その後、ステップＳ４０５の処理に進む。
（ステップＳ４０５）発電電圧検出部６１は、ステップＳ４０４の処理で検出した発電部１０の出力電圧値と、予め設定されている所定の電圧値とを比較して、発電部１０の発電量は十分であるか否かを判定する。発電部１０の発電量は十分であると発電電圧検出部６１が判定した場合にはステップＳ４０６の処理に進み、それ以外の場合にはステップＳ４０８の処理に進む。なお、発電部１０の発電量は十分であるか否かの判定方法は、第３の実施形態における判定方法と同様である。
【００５４】
（ステップＳ４０６）電源制御部８１は、発電部１０が発電した電力を表示部７０に供給する。その後、ステップＳ４０１の処理に戻る。
（ステップＳ４０７）ステップＳ４０２の処理で、蓄電部２０が動作している環境の温度は低温状態ではないと温度判定部６３が判定したため、表示制御部６４は、蓄電部２０が動作している環境の温度は低温状態であるため充電が行われていない可能性があることを示す図形を表示部７０に表示させない。その後、ステップＳ４０８の処理に進む。
（ステップＳ４０８）電源制御部８１は、蓄電部２０が蓄電している電力を表示部７０に供給する。その後、ステップＳ４０１の処理に戻る。
【００５５】
上述したとおり、本実施形態によれば、温度計測部３０は、一定時間毎に、蓄電部２０が動作している環境の温度を計測する。また、温度判定部６３は、温度計測部３０が計測した蓄電部２０の動作環境の温度と、予め設定されている所定の閾値とを比較して、蓄電部２０が動作している環境の温度は低温状態であるか否かを判定する。また、表示制御部６４は、蓄電部２０が動作している環境の温度は低温状態であると温度判定部６３が判定した場合に、蓄電部２０が動作している環境の温度は低温状態であるため充電が行われていない可能性があることを示す図形を表示部７０に表示させる。また、表示制御部６４は、蓄電部２０が動作している環境の温度は低温状態ではないと温度判定部６３が判定した場合に、蓄電部２０が動作している環境の温度は低温状態であるため充電が行われていない可能性があることを示す図形を表示部７０に表示させない。これにより、蓄電部２０の充電が行われていない可能性があることをユーザーに知らせることができる。
【００５６】
また、本実施形態によれば、発電電圧検出部６１は、発電部１０の出力電圧値と、予め設定されている所定の電圧値とを比較して、発電部１０の発電量は十分であるか否かを判定する。また、電源制御部８１は、蓄電部２０が動作している環境の温度が低温状態であり、かつ、発電部１０の発電量が十分である場合、発電部１０が発電した電力を表示部７０に供給する。また、電源制御部８１は、蓄電部２０が動作している環境の温度が低温状態ではない、または、発電部１０の発電量が十分ではない場合、蓄電部２０が蓄電している電力を表示部７０に供給する。これにより、蓄電部２０を充電することができない場合に発電部１０の発電量が十分である場合、表示部７０は発電部１０が発電した電力を用いて動作するため、蓄電部２０の蓄電量の減少を抑えることができる。
【００５７】
なお、上述した電子時計１，２が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００５８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００５９】
以上、本発明の第１の実施形態〜第４の実施形態について説明したが、本発明は、上記実施形態に限定されるものではなく、本発明の趣旨を逸脱しない範囲において種々の変更を加えることが可能である。例えば、表示部７０が表示する表示内容は、上述した例に限らず、蓄電部２０が動作している環境の温度は低温状態であるため充電が行われていない可能性があることを示す表示を行うことができれば、どのような表示内容でもよい。また、上述した実施形態では、電子機器の例として電子時計１を例に説明したが、これに限らず、どのような電子機器でもよい。
【符号の説明】
【００６０】
１，２・・・電子時計、１０・・・発電部、２０・・・蓄電部、３０・・・温度計測部、４０・・・時計部、５０・・・記憶部、６０，８０・・・制御部、６１・・・発電電圧検出部、６２・・・蓄電電圧検出部、６３・・・温度判定部、６４・・・表示制御部、７０・・・表示部，８１・・・電源制御部
【図１】
2013081314.tif 000003
【図２】
2013081314.tif 000004
【図３】
2013081314.tif 000005
【図４】
2013081314.tif 000006
【図５】
2013081314.tif 000007
【図６】
2013081314.tif 000008
【図７】
2013081314.tif 000009
【図８】
2013081314.tif 000010
【図９】
2013081314.tif 000011
【図１０】
2013081314.tif 000012
【図１１】
2013081314.tif 000013